(57)【要約】【課題】  本発明は、外気を強制的に取り入れながらコンプレサーを冷却し、エアータンクを介して間接的に圧縮空気を吐出させることで長時間駆動させることを可能とした携帯用給水管洗浄装置を提供することを目的とするものである。【解決手段】  本発明は、上面に開口部を有する有底箱状の携帯用ケース２内に、コンプレッサー３が内装され、給水管内の洗浄時にはコンプレッサー３と給水管とをホースを介して接続し、該給水管内に水を通しながら圧縮空気を送り込むことにより給水管の洗浄を行う構成の携帯用給水管洗浄装置において、前記コンプレッサー３の空気吸入口２０近傍の携帯用ケース２壁面に貫設されるコンプレッサー空気取入れ口２１と、前記携帯用ケース２壁面に取付けられる排気ファン２２と、前記排気ファン２２の対壁面に取付けられる冷却用空気取入れ穴２３と、前記コンプレッサー３に連設される空気圧調整用としてのエアータンク４を備える。【選択図】      図３
2006116406.tif 000002
【特許請求の範囲】
【請求項１】
上面に開口部を有する有底箱状の携帯用ケース内に、コンプレッサーが内装され、給水管内の洗浄時にはコンプレッサーと給水管とをエアーホースを介して接続し、該給水管内に水を通しながら圧縮空気を送り込むことにより給水管内の洗浄を行う構成の携帯用給水管洗浄装置において、
前記コンプレッサーの空気吸入口近傍の携帯用ケース壁面に貫設されるコンプレッサー空気取入れ口と、
前記携帯用ケース壁面に取付けられる排気ファンと、
前記排気ファンの対壁面に取付けられる冷却用空気取入れ穴と、
前記コンプレッサーに連設される空気圧調整用としてのエアータンクを備える
ことを特徴とする携帯用給水管洗浄装置。
【発明の詳細な説明】
【技術分野】
【０００１】
本発明は、携帯用給水管洗浄装置に関する。詳しくは水道管の洗浄現場まで使用者が携帯し、圧縮空気により水道管内の洗浄を行うことができる携帯用給水管洗浄装置に係るものである。
【背景技術】
【０００２】
従来、水道管内に圧縮空気を送り込んで洗浄を行う給水管洗浄装置としては、例えば図７に示す洗浄装置がある。この発明は、本体ケース１０１と同本体ケース１０１に内装されたコンプレッサーを備えている。この本体ケース１０１は、上面に開口部１０２を有する有底長四角箱状の収容体１０３と、開口部１０２を外方から閉塞するように開閉可能に取付けられる外蓋体１０４と、開口部１０２を内方から閉塞するように取付けられた内蓋体１０５とから構成されている。内蓋体１０５はコンプレッサーを操作するための操作盤１０６及び点検蓋１０７を有する小物収容用蓋体１０８から形成されている。小物収容用蓋体１０８は収容体１０３に対して着脱可能に取付けられる（特許文献１参照）。
【０００３】
【特許文献１】特開２００３−２９０７３０号公報（要約書、第１図）
【発明の開示】
【発明が解決しようとする課題】
【０００４】
ここでコンプレッサーは空気を吸引して圧縮する際に駆動熱を持つことになり、殆どの場合が外気に晒した状態で放冷させることが多く、前記携帯用配管洗浄装置のように収容体内にコンプレッサーを内装する場合にはコンプレッサーを強制的に冷却する必要がある。
【０００５】
そこで前記携帯用配管洗浄装置では、収容体内と透設する第１空冷孔と第２空冷孔が設けられ、収容体内のコンプレッサーが駆動するときには、その駆動熱により収容体内の内部で空気の対流が発生し、さらに収容体内の空気がコンプレッサーに吸引されることにより、収容体内が負圧となり、第１空冷孔および第２空冷孔を介して収容体の内部と外部とで空気が循環される。
【０００６】
しかしながら収容体内に熱せられた空気をコンプレッサーが吸引することによりさらに駆動熱が発生することになり、収容体内に充分な空間を確保することができないために対流による空気の循環では充分にコンプレッサーを空冷することができず長時間の使用や連続運転をすることができない問題がある。
【０００７】
また、前記携帯用配管洗浄装置ではコンプレッサーから水道管内にホースを介して直接に圧縮空気が送り込まれる。このコンプレッサーにより設定空気圧の圧縮されたときにコンプレッサーから吐出されるとともに、吐出されることで空気を取り込み再び圧縮されて吐出される。このようにしてコンプレッサーの連続運転により圧縮空気が水道管内に吐出されることになる。
【０００８】
しかしコンプレッサーからの直接の圧縮空気の吐出では、コンプレッサーの駆動能力に応じた圧縮空気が吐出されるために空気圧にバラツキが生じ易くなる問題がある。
また、水道管の使用年数や材質によって圧縮空気の設定値を変化させる必要があり、コンプレッサーからの直接の圧縮空気の吐出では安定した設定値調整が難い問題がある。
【０００９】
また、水道管の洗浄後にコンプレッサーを停止させた場合には、コンプレッサー内に残圧と水分が発生していることが多く、コンプレッサーの性能に悪影響を及ぼす問題がある。
【００１０】
本発明は、以上の点に鑑みて創案されたものであって、外気を強制的に取り入れながらコンプレサーを冷却し、エアータンクを介して間接的に圧縮空気を吐出させることで長時間駆動させることを可能とした携帯用給水管洗浄装置を提供することを目的とするものである。
【課題を解決するための手段】
【００１１】
上記の目的を達成するために、本発明に係る携帯用給水管洗浄装置は、上面に開口部を有する有底箱状の携帯用ケース内に、コンプレッサーが内装され、給水管内の洗浄時にはコンプレッサーと給水管とをエアーホースを介して接続し、該給水管内に水を通しながら圧縮空気を送り込むことにより給水管内の洗浄を行う構成の携帯用給水管洗浄装置において、前記コンプレッサーの空気吸入口近傍の携帯用ケース壁面に貫設されるコンプレッサー空気取入れ口と、前記携帯用ケース壁面に取付けられる排気ファンと、前記排気ファンの対壁面に取付けられる冷却用空気取入れ穴と、前記コンプレッサーに連設される空気圧調整用としてのエアータンクを備える。
【００１２】
ここで、携帯用ケース内に内装されるコンプレッサーの空気吸入口の近傍にコンプレッサー空気取入れ口を設けることで携帯用ケース外の空気がコンプレッサーに取り入れられて設定値まで圧縮されながらエアータンク内に充填され、このエアータンクを介して水道管内への圧縮空気の吐出させることで圧縮空気の調整圧の調整が容易に行え、かつ安定した圧縮空気の供給が可能となる。
【００１３】
また、コンプレッサーの駆動によって発生する熱は冷却用空気取入れ穴から排気ファンによって外気が携帯用ケース内に取り入れながら排気されることによりコンプレッサー表面が常に外気に晒されことでコンプレッサーから発生する駆動熱が効率よく冷却することができ、長時間の運転が可能となる。
【発明の効果】
【００１４】
以上詳述したように、エアータンクを介して水道管への圧縮空気の吐出を行うことにより、空気圧のバラツキがなく、安定した圧縮空気の提供が可能となる。さらに水道管の使用年数や材質に応じて空気圧の調整が容易に行えるものである。
【００１５】
また、コンプレッサーへの空気取入れは常に携帯用ケース外の空気が取り入れられると共に、排気ファンと冷却用空気取入れ穴によって常に携帯用ケース内に外気による気流が生起され、この気流にコンプレッサー外表面が晒されることによりコンプレッサーの駆動により発生する駆動熱を冷却するものである。また、駆動熱によって熱せられた空気は排気ファンによって携帯用ケース外へ放出されることで携帯用ケース内の温度は外気と殆ど変わらない温度を維持し、コンプレッサーの長時間の連続運転を可能とするものである。
【発明を実施するための最良の形態】
【００１６】
以下、本発明の実施の形態を図面を参酌しながら説明し、本発明の理解に供する。
図１に、本発明を適用した携帯用給水管洗浄装置の一例を示す全体説明図、図２は内部機構を示す内部平面説明図、図３は、図２における内部側面説明図である。
【００１７】
本発明の携帯用給水管洗浄装置１は、アルミニウム合金、鉄、ステンレス鋼等の金属を用いて長四角箱状に形成される携帯用ケース２と、この携帯用ケース２内に内装されるコンプレッサー３およびエアータンク４とから構成される。
【００１８】
ここで、携帯用ケース２は上面に開口部５を有する有底四角箱状の開口端に有蓋長四角箱上の蓋体部６が蝶番を介して連結されている。この蓋体部６には、その両側開口端に一対のフック部７が取付けられ、それぞれのフック部７に対応する携帯用ケース２の開口端にリング８とよりなる一対のロック金具９が取付けられている。このロック金具９のリング８をフック部７に掛止してロックすることにより、携帯用給水管洗浄装置の不使用時に携帯用ケース２の開口部５に対して蓋体部６を閉塞状態とすることができる。
【００１９】
また、図４に示すように蓋体部６の上面中央には環状の把持部１０が取付けられており、前記ロック金具９で蓋体部６を閉塞状態に維持しながら把持部１０を手によって把持して携帯用ケース２を持ち上げることにより容易に持ち運びができる構成となる。
【００２０】
さらに、携帯用ケース２の正面壁には下端が蝶番を介して携帯用ケース２壁面に連結枢支され、上端が留め金具１１によって正面壁に着脱自在とされるサブケース１２が設けられるものである。このサブケース１２は開口部を有する四角箱状に形成され、留め金具１１を外すことにより水平まで回動させてサブケース１２内に工具などを収納できる構成とするものである。
【００２１】
次に、携帯用ケース２の開口部５内には運転タイマー１３、メインスイッチ１４、パルススイッチ３０、電源押込み端子１５、圧力スイッチ１６、加圧タイマー３１、開放タイマー３２およびリモコン接続用コネクター３３等が取付けられた操作盤１７とエアーソケット１８が突設される有底段差部１９が装着されるものである。
【００２２】
ここで、電源押込み端子１５に１００Ｖ電源コード（図示せず。）を接続し、エアーソケット１８にエアーホース（図示せず。）を接続する。そしてメインスイッチ１４を入れることよってコンプレッサー３を駆動させてスタンバイ状態とし、次に圧力スイッチ１６、加圧タイマー３１、開放タイマー３２操作することによりパルス洗浄の運転時間、パルスのエアー閉止時間およびパルスのエアー開放時間を設定し、パルススイッチ３０によってエアーソケット１８より圧縮空気を吐出させる構成とするものである。
【００２３】
そこで図２および図３に示すように、携帯用ケース２内の底部にコンプレッサー３が取付けられる。このコンプレッサー３の一端側には空気吸入口２０が設けられる。そして空気吸入口２０の近傍の携帯用ケース２壁面には空気取入れ口２１が開設される。
【００２４】
また、コンプレッサー３の上方の携帯用ケース２壁面には携帯用ケース２内の空気を強制的に外部に排出させる排気ファン２２が携帯用ケース２の壁面に装着される。そして排気ファン２２と対面上となる壁面、すなわち有底段差部１９の側壁面に冷却用空気取入れ穴２３が開口される。
【００２５】
次にコンプレッサー３の吐出ホース２４はエアー開放用電磁弁２５を介してエアータンク４に連通状に連結されている。さらにエアータンク４はエアー開放用電磁弁２５を介して接続エアーホース２７により有底段差部１９の側壁より突設されるエアーソケット１８が接続されている。そしてそれぞれのエアー開放用電磁弁２５を前記圧力スイッチ１６、加圧タイマー３１および開放タイマー３２を操作することにより圧縮空気の設定値の調整や安定した圧縮空気の供給を行う。
【００２６】
また、エアータンク４下部に設けられる残圧開放用電磁弁２６は給水管洗浄作業が終了し、メインスイッチをOFFにしたときに解放状態となり、コンプレッサー３およびエアータンク４内の残圧および水分が排出され、コンプレッサー３およびエアータンク４に余分な負荷がかからない構成とする。
【００２７】
また、コンプレッサー３およびエアータンク４に取付けられるエアー開放用電磁弁２５および残圧開放用電磁弁２６の駆動制御は、起動制御部２８によって行うものであり、この起動制御部２８は操作盤１７に設けられるエアー開放用電磁弁２５を前記圧力スイッチ１６、加圧タイマー３１、開放タイマー３２およびパルススイッチ３０に接続される。さらに排気ファン２２の起動はメインスイッチが入ったときに駆動する構成とし、作業中は携帯用ケース２内に常に外気が強制的に取り入れながら換気が行われる構成とされる。
【００２８】
以上の構成よりなる本発明の携帯用給水管洗浄装置では、図５および図６にそれぞれ示すように家屋の給水管Ａの洗浄を行うときには、まず携帯用ケース２の両側端に設けられるロック金具９を解除して蓋体部６を開いて操作盤１７を露出させる。そして有底段差部１９の側壁より突設されるエアーソケット１８と水道メーターに最も近い位置の蛇口Ｂとの間をエアーホース２９によって接続する。
【００２９】
ここで操作盤１７のメインスイッチ１４を入れることにより排気ファン２２およびコンプレッサー３が駆動する。このコンプレッサー３の駆動の際にはコンプレッサー３近傍の空気取入れ口２１を通して外気がコンプレッサー３に吸入されてコンプレッサー３によって空気が圧縮される。
【００３０】
いっぽう、排気ファン２２によって携帯用ケース２内の空気が外部へ排気されることにより携帯用ケース２内に負圧が生じ、この負圧によって排気ファン２２と対面位置にある有底段差部１９の側壁に開口される冷却用空気取入れ穴２３から外気の空気が取り入れられ、この冷却用空気取入れ穴２３から排気ファン２２へ向けて常に外気による気流が生じることになる。この気流にコンプレッサー３の外表面が常に外気によって晒されながら駆動熱が瞬時に冷却されると共に排気されることにより、携帯用ケース２内には駆動熱によって熱せられた空気が対流することがなく、温度上昇を押さえることが可能となる。
【００３１】
また、コンプレッサー３によって圧縮された空気はエアータンク４内に充填される。そこでエアータンク４内に圧縮空気が充填され、エアー開放用電磁弁２５によってエアーソケット１８よりエアーホース２９を通して蛇口Ｂから給水管Ａ内に吐出されることで常に安定した圧縮空気の供給が可能となる。さらに、エアータンク４を介することにより、コンプレッサー３から直接に圧縮空気を供給する場合と異なり、直接的にコンプレッサー３に負荷をかけることがないためにバラツキの少ない圧縮値の変更が可能となり水道管の使用年数や材質に応じた圧縮空気設定値による洗浄が可能となる。
【００３２】
ここで、上水配管Ｃから給水管Ａ内に水を流通させると、同給水管Ａ内で圧縮空気と水とが混合されながら給水管Ａ内を流通する。この混合水が流通するときの圧縮空気の衝撃波によって給水管Ａ内壁に付着した油分、錆、塵埃などの堆積物が除去されて水中に分散される。
【００３３】
そして家屋内の他の蛇口Ｂを開放して約５〜１５分間圧縮空気を配管Ａ内に送り込むことにより、開放された蛇口Ｂより除去された堆積物が排出されて混合水が流通した配管Ａ内壁面が洗浄される。
【００３４】
次に、開放した蛇口Ｂを閉じて他の蛇口Ｂを開放して約５〜１５分間圧縮空気を配管Ａ内に送り込むことにより、開放された蛇口Ｂまで混合水が流通することにより配管Ａ内壁面に付着した堆積物が除去される。このようにして順次蛇口Ｂを開放しながら圧縮空気を配管Ａ内に送り込むことによって家屋内の配管内の洗浄が行えることになる。
【００３５】
なお、水道の配管が長くなる場合には、途中の蛇口より圧縮空気を送り込むことによって家屋内に配管される水道管の洗浄をくまなく行うことが可能となる。
また、圧縮空気は必ずしも蛇口から注入する必要性は無く、水道メーターが取付けられる上水配管から注入して屋内にある各蛇口を開放しながら給水管内壁を洗浄することも考えられる。
【００３６】
また、本発明の携帯用給水管洗浄装置ではリモートコントロールを接続することによって遠隔から圧縮空気注入のＯＮ・ＯＦＦの切り替を行うことができるようにすることで１人の作業者で洗浄作業が行えるようにすることが望ましい。
【図面の簡単な説明】
【００３７】
【図１】本発明を適用した携帯用給水管洗浄装置の一例を示す全体説明図である。
【図２】図１における内部機構を示す平面説明図である。
【図３】図１における内部機構を示す側面説明図である。
【図４】本発明を適用した携帯用給水管洗浄装置のサブケースの取り付け状態を示す説明図である。
【図５】本発明を適用した携帯用給水管洗浄装置による水道配管の洗浄方法の一例を示す説明図である。
【図６】本発明を適用した携帯用給水管洗浄装置の携帯ケース内の気流状態を示す説明図である。
【図７】従来の携帯用給水管洗浄装置の一例を示す説明図である。
【符号の説明】
【００３８】
１      携帯用給水管洗浄装置
２      携帯用ケース
３      コンプレッサー
４      エアータンク
５      開口部
６      蓋体部
７      フック部
８      リング
９      ロック金具
１０    把持部
１１    留め金具
１２    サブケース
１３    運転タイマー
１４    メインスイッチ
１５    電源押込み端子
１６    圧力スイッチ
１７    操作盤
１８    エアーソケット
１９    有底段差部
２０    コンプレッサー空気吸入口
２１    空気取入れ口
２２    排気ファン
２３    冷却用空気取入れ穴
２４    吐出ホース
２５    エアー開放用電磁弁
２６    残圧開放用電磁弁
２７    接続エアーホース
２８    起動制御部
２９    エアーホース
３０    パルススイッチ
３１    加圧タイマー
３２    開放タイマー
【図１】
2006116406.tif 000003
【図２】
2006116406.tif 000004
【図３】
2006116406.tif 000005
【図４】
2006116406.tif 000006
【図５】
2006116406.tif 000007
【図６】
2006116406.tif 000008
【図７】
2006116406.tif 000009